(57)【要約】【課題】  一本釣に掛かった大型魚が暴れて障害物に接触する損傷や、過激な運動による筋肉の温度上昇で肉質の劣化を防ぎ、短時間に確実に効率よく捕獲すること。【解決手段】  筒状本体内を絶縁密封し電源用電池と直流パルス電圧発生器と釣り針スイッチと、筒状本体の底部を貫通した可撓性触覚電極と、釣り針棒の下部先端に装着した釣り針電極を備え、魚が掛かり釣り針を強く引くと釣り針スイッチが閉じ直流パルス電圧を印加し魚に電気的衝撃を与え行動を制限し釣り上げを容易にする。【選択図】図１
0003149040.tif 000002
【実用新案登録請求の範囲】
【請求項１】
釣り針に掛かった大型魚を短時間で釣り上げる装置であって、絶縁密封した筒状本体内に電源用電池と直流パルス電圧発生器と釣り針スイッチを備え適宜通電可能に結線し前記筒状本体の底部を貫通して全体を絶縁し先端が放電可能な複数の可撓性触覚電極と、前記筒状本体の低部を貫通し釣り針棒上部に前記釣り針スイッチを開閉する開閉部と該釣り針棒のやや中央部に設けたフランジと該フランジと前記筒状本体の下部に捻じ込んだスプリングホルダとで狭持したスプリングと前記フランジから延設し前記スプリングホルダを貫通した前記釣り針棒と該釣り針棒の下部先端に可動自在に装着した釣り針電極とに、直流パルス電圧を印加する手段を備えけたことを特徴とする電極付釣り針。
【考案の詳細な説明】
【技術の分野】
【０００１】本考案は釣り針の付属する装置に関する。
【技術の背景】
【０００２】  従来、１本釣りの針に掛かった大型の魚を釣り上げるとき、長時間のやり取りと釣り針が外れて取り逃がさないための駆け引きと技術が必要であった。
【０００３】  ときには、深みに引き込まれ岩の窪みに隠れ、釣り糸が岩の角で擦り切れたり、海藻に絡まって取り逃がすことがしばしばあった。
【０００４】  また長時間のやり取りで魚体が釣り糸や、海藻、岩などに擦れて損傷し筋肉の疲労と魚体の温度上昇で肉質の劣化が起こり商品価値を失うことがある。
【０００５】
【特許文献１】  特開２００２−３０６０２４号
【特許文献２】  特開平１１−１１３４４７号
【考案の開示】
【考案が解決しようとする課題】
【０００６】  本考案は、上記問題を解決しようとするもので、一本釣に掛かった大型の魚を暴れて他の障害物に接触する損傷や筋肉の温度上昇よる肉質の劣化をなくし、短時間に確実に効率よく捕獲することを目的とする。
【問題を解決するための手段】
【０００７】  本考案は釣り針に掛かった大型魚を短時間で釣り上げる装置で、絶縁密封した筒状本体内に電源用電池と直流パルス電圧発生器と釣り針スイッチを備え、適宜通電可能に結線し前記筒状本体の底部を貫通して全体を絶縁し先端が放電可能な複数の可撓性触覚電極と、前記筒状本体の低部を貫通し釣り針棒上部に前記釣り針スイッチを開閉する開閉部と該釣り針棒のやや中央部に設けたフランジと該フランジと前記筒状本体の下部に捻じ込んだスプリングホルダで狭持したスプリングと、該フランジから延設し前記スプリングホルダを貫通した前記釣り針棒と、該釣り針棒の下部先端に可動自在に装着した釣り針電極とに直流パルス電圧を印加する手段で魚に電気的衝撃を与え行動を制限し問題を解決している。
【考案の効果】
【０００８】  魚が釣り針に掛ると、魚の習性で前記釣り針をやや下向きに引き込み、より深みや岩陰に逃げ込もうとする行動をとる、その行動を釣り針電極と触覚電極先端からの電気的衝撃で行動を制限し、魚の口を釣り糸の方向に向け釣り上げ抵抗を少なくする。
【０００９】  マグロや鮫類、大型根魚の一本釣りに使用すれば短時間に釣り上げることができ時間のロスが無く効率良く捕獲できる。
【００１０】  魚を釣り上げ途中、暴れて接触損傷や筋肉の温度上昇よる魚体の肉質劣化による商品価値の低下を軽減できる。
【００１１】  前記可撓性触角電極は海藻や岩角の障害物への釣り針が引っ掛かることを防止する作用がある。
【考案を実施するための最良の形態】
【００１２】  以下、本考案の実施形態を図１、図２、図３、図４に基づいて説明する。【００１３】  図１は本考案の一部切断断面図を表し、絶縁密封した筒状本体１内の電源電池４からマイナス入力導線７と、釣り針棒上部１１ａの開閉部８の上下で開閉する釣り針スイッチ３ａと、他方にプラス入力導線６を直流パルス電圧発生器５の入力側に適宜結線する。【００１４】  前記直流パルス電圧発生器５の出力側からプラス出力導線９は前記釣り針棒上部１１ａに接続し、前記筒状本体１の底部を貫通して釣り針棒１１は釣り針電極１４に導通し、マイナス出力導線１０は前記筒状本体１の底部と窓１ｂを貫通し、全体を絶縁し先端が放電可能な複数の触覚電極先端１０ｂを有する可撓性触覚電極１０ａに接続結線している。【００１５】  前記釣り針棒１１のやや中央部に突起１１ｂを持つフランジ１１ｃを設け、該フランジ１１ｃの下部から延設した前記釣り針棒１１はスプリングホルダ２を貫通して連結環１３と釣り針１４に接続している。【００１６】  前記フランジ１１ｃの前記突起１１ｂは魚が掛る前は前記可撓性触覚電極１０ａを拡張する方向に付勢している。【００１７】  スプリング１２は前記フランジ１１ｃと筒状本体１下部に捻じ込まれた前記スプリングホルダ２に挟持され、該スプリングホルダ２の捻じ込み戻しで前記釣り針棒１１の張力の強弱を調整可能にしている。
【実施例】
【００１８】  上記構成の動作を図面に従って説明する、図１においてこの電極付釣り針の前記釣り針１４に餌を取り付け、前記筒状本体１上部の釣り糸取り付け穴１ａに釣り糸を結び、釣り竿または手元で魚の当りを待つ。【００１９】  図２は本考案の一部切断断面の拡大作動図で、前記構成された電極付釣り針に魚が掛かり逃げようと前記釣り針棒１１の前記釣り針電極１４を矢印方向に設定以上の張力で強く引く。【００２０】  前記釣り針棒１１の前記フランジ１１ｃは前記スプリング１２を圧縮し、前記開閉部８が下がり電源回路の前記釣り針スイッチ３ａを閉じ、前記釣り針電極１４と前記触覚電極先端１０ｂにパルス電圧を印加する。【００２１】  同時に前記突起１１ｂが下がり前記可撓性触覚電極１０ａが収束し、通電可能な前記触覚電極先端１０ｂが魚の一部に接触通電し電気的衝撃を与え行動を制限する。【００２２】  図３は本考案の一部切断断面と魚の関係図で、魚が前記釣り針１４に掛かり矢印方向の深みに引き込もうとする習性で前記釣り針棒１１を強く引き、前記釣り針棒先端１１ａの前記開閉部８が下がり前記釣り針スイッチ３ａを閉じると同時に、収束した前記触覚電極先端１０ｂが魚の体に接触し、前記釣り針電極１４と前記触覚電極先端１０ｂにパルス電圧を印加すると、魚は電気的衝撃を受け行動を制限され、口先を釣り糸方向に向け抵抗が少なくなり釣り上げを容易にする。【００２３】  図４は本考案の前記直流パルス電圧発生の結線構成図を示し、プラスまたはマイナス側の何れかの回路に前記釣り針スイッチ３ａを配置し、直流パルス電圧発生器の入力側に適宜接続する、前記直流パルス電圧発生器の出力側はプラスまたはマイナス側を前記可撓性触覚電極１０に、他方を前記釣り針電極１４に接続する。【００２４】  本考案で図示されていないが魚が手元に来る前に設定深さより浅い所で通電しないように入力回路に水圧スイッチを付加すれば人体になお安全な電極付釣り針になる。【００２５】  この電極付釣り針のスプリングホルダ２を錘とすれば別の錘が不要になる。
【産業上の利用可能性】
【００２６】  大型根魚の一本釣りに使用すれば短時間に釣り上げることができ時間のロスが無く効率良く捕獲でき、暴れて筋肉の温度上昇よる魚体の肉質劣化や接触損傷による商品価値の低下を軽減できて極めて有用である。
【図面の簡単な説明】
【００２７】
【図１】本考案の一部切断断面図
【図２】本考案の一部切断断面の拡大作動図
【図３】本考案の一部切断断面と魚の関係図
【図４】本考案の直流パルス電圧発生の結線構成図
【符号の説明】
【００２８】１・・・・筒状本体
１ａ・・・釣り針取り付け穴
１ｂ・・・窓
２・・・・スプリングホルダ
３・・・・マイナス線
３ａ・・・釣り針スイッチ
４・・・・電源
５・・・・直流パルス電圧発生器
６・・・・プラス入力導線
７・・・・マイナス入力導線
８・・・・開閉部
９・・・・プラス出力導線
１０・・・マイナス出力導線
１０ａ・・可撓性触覚電極
１０ｂ・・触覚電極先端
１１・・・釣り針棒
１１ａ・・釣り針棒上部
１１ｂ・・突起
１１ｃ・・フランジ
１２・・・スプリング
１３・・・連結環
１４・・・釣り針電極
【図１】
0003149040.tif 000003
【図２】
0003149040.tif 000004
【図３】
0003149040.tif 000005
【図４】
0003149040.tif 000006